(57)【要約】      （修正有）【課題】身長が異なる利用者に対しても、明確な正面画像が取得可能であって、利用者に、あたかも鏡を見ているような使用感を与えることが可能な電子鏡システムを提供する。【解決手段】利用者の画像を撮影するための左側カメラ６及び右側カメラ７と、左側カメラ６及び右側カメラ７で撮影された画像を処理するＣＰＵ２ｂと、ＣＰＵ２ｂで処理された画像を表示する液晶ディスプレイ２と、を有する電子鏡システムであって、左側カメラ６及び右側カメラ７は、液晶ディスプレイ２の側部に、移動可能に配置されており、前記利用者の目の高さにおいて撮影した画像を液晶ディスプレイ２に表示する。【選択図】図１
2012060547.tif 000002
【特許請求の範囲】
【請求項１】
利用者の画像を撮影するための撮像装置と、
前記撮像装置で撮影された画像を処理する画像処理部と、
前記画像処理部で処理された画像を表示する表示装置と、
を有する電子鏡システムであって、
前記撮像装置は、前記表示装置の側部を移動可能に配置されており、
前記利用者の目の高さにおいて撮影した画像を表示することを特徴とする電子鏡システム。
【請求項２】
前記撮像装置は、少なくとも前記表示装置の側部に、複数配置され、
前記撮像装置で撮影した画像を、前記画像処理部で正面画像に加工し、前記表示装置に表示することを特徴とする請求項１に記載の電子鏡システム。
【請求項３】
さらに、前記表示装置の上部に測距センサを備え、
該測距センサは、前記表示装置から一定範囲内に前記利用者が近付いたことを検知し、前記一定範囲内に一定時間留まった場合、鏡として機能することを特徴とする請求項１または２に記載の電子鏡システム。
【請求項４】
前記表示装置は、前記利用者を等倍表示することを特徴とする請求項１から３いずれかに記載の電子鏡システム。
【請求項５】
さらに、画像データを記憶する記憶部を備え、
該記憶部は、前記撮像装置で撮影された画像を保存することを特徴とする請求項１から４いずれかに記載の電子鏡システム。
【請求項６】
前記利用者の画像を記憶し、前記表示装置の表示を左右半分に分割して、どちらか一方には記憶された前記利用者の画像を表示し、もう一方には現在の前記利用者の画像を表示することを特徴とする請求項５に記載の電子鏡システム。
【請求項７】
記憶された前記利用者の画像は、前記利用者が前記表示装置から一定範囲外に離れ、一定時間が経過すると消去されることを特徴とする請求項６に記載の電子鏡システム。
【請求項８】
前記画像処理部は、背景の明度を下げることを特徴とする請求項１から７いずれかに記載の電子鏡システム。
【請求項９】
前記画像処理部は、背景を消すことを特徴とする請求項１から８いずれかに記載の電子鏡システム。
【請求項１０】
さらに、音声記憶部を備え、
前記表示装置から一定範囲内に入ると、前記表示装置の画面上部にメッセージを表示し、一定時間後、映像と声を前記表示装置から一定範囲外に離れるまで記憶することを特徴とする請求項１から９いずれかに記載の電子鏡システム。
【発明の詳細な説明】
【技術分野】
【０００１】
本発明は、撮像装置で撮影した画像を表示する電子鏡システムに関する。
【背景技術】
【０００２】
服屋等に設置されている鏡は、後ろ姿が見難いことや、種々の服を比較できないなどの問題があり、近年、鏡に代わり、表示装置を鏡として利用する研究が進められている。
【０００３】
特許文献１には、デジタルミラー装置が開示されており、これを図５に示す。洗面台８０１のミラー設置部分にモニター画面８０２が設置されており、その両側には複数のカメラの組からなる第１視覚センサ８０３と第２視覚センサ８０４とが設置され、各々の三次元画像データが画像処理部８０７に出力される。画像処理部８０７では、これらの画像データに基づき利用者の特定の方向から見た画像が形成され、モニター画面８０２に表示される。利用者の画像は、任意の方向の画像に、また拡大画像等に変換して表示できる。
【０００４】
特許文献２には、電子鏡システムが開示されており、これを図６に示す。この電子鏡システムは、撮像した画像を表示する表示手段である液晶表示装置９１１と、液晶表示装置９１１の撮像モードにおいて、被撮像体である利用者９１４を、液晶表示装置９１１を通して撮像する撮像手段であるカメラ９１２と、撮像モード及び必要に応じて表示モードにおいて光源として機能するライト９１５と、液晶表示装置９１１、カメラ９１２及びライト９１５のＯＮ／ＯＦＦを制御する切替制御部９１３とから主に構成されている。カメラ９１２は、液晶表示装置９１１の裏面側に配置され、液晶表示装置９１１が透過状態となる撮像モードにおいて、液晶表示装置９１１を介して被撮像体を撮像し、表示モードにおいてカメラ９１２によって得られた画像を描画するように機能する。この構成により、利用者が液晶表示装置９１１に目線を向けた状態の画像を取得し、表示することが可能となる。
【先行技術文献】
【特許文献】
【０００５】
【特許文献１】特開２００２−２００９６４（平成１４年１０月４日公開）
【特許文献２】特開２００４−２９７７３３（平成１６年１０月２１日公開）
【発明の概要】
【発明が解決しようとする課題】
【０００６】
しかしながら、特許文献１は、モニター画面の両側に複数のカメラの組からなる視覚センサを設置し、各々三次元画像データを画像処理部で加工して、特定の方向から見た画像を形成し、モニター画面に表示するものであるが、視覚センサの設置位置によっては、必ずしも正面から見た利用者の画像を違和感なく合成出来ない。すなわち、顔には凹凸があるため、カメラが顔の高さ以下に設置されていない場合には、鼻や顎の下、目の周囲は上手く表示できず、また、カメラが顔の高さ以上に設置されていない場合には、鼻の上、前頭部が上手く表示できず、違和感のある画像になるという問題があった。
【０００７】
特許文献２では、カメラを液晶表示装置の裏面側に配置し、液晶パネルを撮像モードにおいて透過状態とし、被写体の正面画像を得ることで、利用者にあたかも鏡を見ているような使用感を与えることが可能となるが、被写体を液晶越しに撮像するため、ぼやけた画像となる上、固定されたカメラから撮像されるため、身長が異なる利用者に対応することができないという問題があった。
【０００８】
本発明の目的は、身長が異なる利用者に対しても、明確な正面画像が取得可能であって、利用者にあたかも鏡を見ているような使用感を与えることが可能な電子鏡システムを提供することである。
【課題を解決するための手段】
【０００９】
本発明は、利用者の画像を撮影するための撮像装置と、前記撮像装置で撮影された画像を処理する画像処理部と、前記画像処理部で処理された画像を表示する表示装置と、を有する電子鏡システムであって、前記撮像装置は、前記表示装置の側部を移動可能に配置されており、前記利用者の目の高さにおいて撮影した画像を表示することを特徴とする。
【００１０】
さらに、前記撮像装置は、少なくとも前記表示装置の側部に、複数配置され、前記撮像装置で撮影した画像を、前記画像処理部で正面画像に加工し、前記表示装置に表示することが好ましい。
【００１１】
さらに、前記表示装置の上部に測距センサを備え、該測距センサは、前記表示装置から一定範囲内に前記利用者が近付いたことを検知し、前記一定範囲内に一定時間留まった場合、鏡として機能することが好ましい。
【００１２】
さらに、前記表示装置は、前記利用者を等倍表示することが好ましい。
【００１３】
さらに、画像データを記憶する記憶部を備え、該記憶部は、前記撮像装置で撮影された画像を保存することが好ましい。
【００１４】
さらに、前記利用者の画像を記憶し、前記表示装置の表示を左右半分に分割して、どちらか一方には記憶された前記利用者の画像を表示し、もう一方には現在の前記利用者の画像を表示することが好ましい。
【００１５】
さらに、記憶された前記利用者の画像は、前記利用者が前記表示装置から一定範囲外に離れ、一定時間が経過すると消去されることが好ましい。
【００１６】
さらに、前記画像処理部は、背景の明度を下げることが好ましい。
【００１７】
さらに、前記画像処理部は、背景を消すことが好ましい。
【００１８】
さらに、音声記憶部を備え、前記表示装置から一定範囲内に入ると、前記表示装置の画面上部にメッセージを表示し、一定時間後、映像と声を前記表示装置から一定範囲外に離れるまで記憶することが好ましい。
【発明の効果】
【００１９】
本発明によれば、身長が異なる利用者に対しても、明確な画像で正面画像が取得可能であって、利用者にあたかも鏡を見ているような使用感を与えることが可能な電子鏡システムを提供することができる。
【図面の簡単な説明】
【００２０】
【図１】本発明の一実施形態に係る電子鏡システムの概観図である。
【図２】本発明の一実施形態に係る電子鏡システムの動作を表すフローである。
【図３】本発明の一実施形態に係る電子鏡システムと利用者との位置関係を示した斜視図である。
【図４】本発明の一実施形態に係る電子鏡システムの表示モードの変遷を表す状態遷移図である。
【図５】従来技術に係るデジタルミラー装置の概略図である。
【図６】従来技術に係る電子鏡システムの概略図である。
【発明を実施するための形態】
【００２１】
以下、図面を参照して、本発明の実施形態について詳細に説明する。ただし、本発明の範囲は、図面の記載に限定されない。
【００２２】
〔実施形態〕
図１は、本実施形態に係る電子鏡システム１の概観図である。図２は、本実施形態に係る電子鏡システム１において、鏡像を映し出すフローを示している。図３は、カメラと利用者との位置関係を示す斜視図である。図４は、本実施形態に係る電子鏡システム１の表示モードの変遷を表す状態遷移図である。なお、本実施形態は、あくまで一例であり、本発明は、これに限定されるものではない。
【００２３】
〔構成〕
まず、図１を参照して、本実施形態に係る電子鏡システムの構成について説明する。
【００２４】
図１（ａ）は電子鏡システム１の上面を、図１（ｂ）は電子鏡システム１の正面を、図１（ｃ）は電子鏡システム１の側面を示す。
【００２５】
電子鏡システム１は、液晶ディスプレイ２と、スタンド３、左側上下ガイド４、右側上下ガイド５、左側カメラ６、右側カメラ７、上部枠８、測距センサ９、操作パネル１０を備える。
【００２６】
液晶ディスプレイ２は画像表示部２ａ、ＣＰＵ（Central  Processing  Unit）２ｂ、記憶部２ｃを備え、スタンド３と螺子などで連結されることにより保持されている。また、液晶ディスプレイ２の上部には、測距センサ９を有する上部枠８が固定され、左部には左側上下ガイド４、右部には右側上下ガイド５が固定されている。
【００２７】
ＣＰＵ２ｂは、記憶部２ｃに記憶されている各種プログラムやデータを読み出して実行することにより、各機能を実現する。
【００２８】
記憶部２ｃは、（Read  Only  Memory）、ＲＡＭ（Random  Access  Memory）、ＨＤＤ（Hard  Disc  Drive）などからなる。ＣＰＵ２ｂは、左側カメラ６及び右側カメラ７で撮影された画像を、一つの画像に合成し、鏡像反転して液晶ディスプレイ２に表示することができる。尚、ＣＰＵ２ｂ、記憶部２ｃ、左側カメラ６、右側カメラ７、測距センサ９、後述のステッピングモータ１４は、各部がバス（図示せず）を介して接続されている。
【００２９】
スタンド３は台座３ａを備え、台座３ａには操作パネル１０が持ち運び可能な状態で載置されている。また、スタンド３は車輪３ｂを有し、液晶ディスプレイ２を保持したまま移動することができる。
【００３０】
左側上下ガイド４は、液晶ディスプレイ２の側面を挟持することで固定されている。同様に、右側上下ガイド５は、液晶ディスプレイ２の側面を挟持することで固定されている。また、左側上下ガイド４は左側カメラ６を、右側上下ガイド５は右側カメラ７を支持しており、これにより左側カメラ６および右側カメラ７は上下にスライド可能である。なお、カメラを上下動させる機構については、後に詳細に説明する。
【００３１】
測距センサ９は、利用者との距離を測定するセンサで、利用者までの距離データをＣＰＵ２ｂへ送り、利用者が所定の範囲内（本実施形態では測距センサ９の前方半径３ｍ以内）に入ると、ＣＰＵ２ｂは左側カメラ６及び右側カメラ７へ撮影を開始する信号を送信し、撮影が始まる。撮影された画像は、記憶部２ｃに保存される。そして、利用者が所定の範囲内から離れ、一定時間（本実施形態では５分）が経過すると、記憶を消去する。そうすることで、第三者に画像が流出することを防ぐことが出来る。なお、設置場所によっては、左側カメラ６及び右側カメラ７で撮影を開始する所定の範囲を変更することも可能であり、例えば、測距センサ９の前方半径２ｍ以内とすることもできる。
【００３２】
操作パネル１０は、液晶ディスプレイ２の表示モードを変更する操作部で、ＣＰＵ２ｂへ、有線または無線で操作信号を送ることができ、テレビリモコンのように持ち運ぶことができる。表示モードについては、後述する電子鏡システムの動作と共に詳細に説明する。
【００３３】
次に、カメラを上下動させる機構について詳細に説明する。
【００３４】
左側カメラ６は、タイミングベルト左４ａに取り付けられており、左側上下ガイド４をレールとして上下に移動可能である。同様に右側カメラ７は、タイミングベルト右５ａに取り付けられており、右側上下ガイド５をレールとして上下に移動可能である。タイミングベルト左４ａは左側回転プーリ１１によって駆動され、タイミングベルト右５ａは、右側回転プーリ１２によって駆動される。左側回転プーリ１１及び右側回転プーリ１２は、駆動軸１３と連結されており、駆動軸１３は、ステッピングモータ１４と連結されている。また、ステッピングモータ１４は、ＣＰＵ２ｂと接続されており、ＣＰＵ２ｂからの指示により回転させることができる。
【００３５】
ステッピングモータ１４が回転することで、駆動軸１３が回転し、駆動軸１３に連結された左側回転プーリ１１及び右側回転プーリ１２が、連動して回転する。そして、左側回転プーリ１１及び右側回転プーリ１２によって、タイミングベルト左４ａ及びタイミングベルト右５ａが回転する。タイミングベルト左４ａ及びタイミングベルト右５ａの回転によって、左側カメラ６及び右側カメラ７が上下動する。
【００３６】
すなわち、左側カメラ６及び右側カメラ７の位置は、ステッピングモータ１４の回転数によって決まる。
【００３７】
そこで、本実施形態では、あらかじめステッピングモータの回転数と、左側カメラ６及び右側カメラ７の高さとを対応付け、ＣＰＵ２ｂにおいて、左側カメラ６及び右側カメラ７の高さを指定することができるようにする。
【００３８】
ステッピングモータ１４が回転し、駆動軸１３を回転させ、左側回転プーリ１１及び右側回転プーリ１２が回転し、タイミングベルト左４ａ及びタイミングベルト右５ａが回転し、左側カメラ６及び右側カメラ７が下降する。左側カメラ６及び右側カメラ７の初期位置は、上下スライドの最上部である。
【００３９】
利用者が測距センサ９の前方半径３ｍ以内から離れ、５分以上経過し、カメラの画像が遮断された場合は、各カメラは初期位置に移動し、待機する。但し、電子鏡システム１の使用される頻度が高い場合は初期位置に戻さない設定としてもよい。
【００４０】
〔動作〕
図２は、本実施形態に係る電子鏡システム１において、鏡像を映し出すフローを示している。
【００４１】
まず、測距センサ９が前方半径３ｍ以内に利用者を検知するまで待ち（Ｓ１１：ＮＯ（Ｓはステップを示す。以下同様））、利用者を検知すると（Ｓ１１：ＹＥＳ）、Ｓ１２へ移行する。図３は、測距センサ９の前方半径３ｍ以内に利用者が入り、測距センサが利用者を検知する様子を示す。
【００４２】
次に、ＣＰＵ２ｂから左側カメラ６及び右側カメラ７へ、撮影開始の信号が送られ、撮影が開始される（Ｓ１２）。
【００４３】
そして、撮影された画像は、記憶部２ｃに保存され、ＣＰＵ２ｂによって、その画像から利用者の目の三次元位置が計算される（Ｓ１３）。
【００４４】
さらに、図３（ｂ）で示すように、利用者の目の高さよりも上方に左側カメラ６及び右側カメラ７がある状態から、Ｓ１３で計算された利用者の目の三次元位置を基に、図３（ｃ）で示すように、利用者の目の高さまで左側カメラ６及び右側カメラ７が移動させられる（Ｓ１４）。
【００４５】
利用者の目の高さまで移動させられた左側カメラ６及び右側カメラ７によって撮影された画像は、ＣＰＵ２ｂによって鏡像反転され、液晶ディスプレイ２に表示される（Ｓ１５）。また、このとき撮影された画像は、所定の時間（本実施形態では１分間）、記憶部２ｃに保存する。
【００４６】
ここで、Ｓ１３における利用者の目の三次元位置は、左側カメラ６及び右側カメラ７で撮影した画像をＣＰＵ２ｂで処理し、目の三次元位置を検出することで導き出すことができる。
【００４７】
図４は、操作パネル１０の強調ボタン１０ａを押下した場合の表示モードの変遷を表す状態遷移図である。Ｓ１５で示す通常の鏡像表示モードで、操作パネル１０の強調ボタン１０ａを押下すると、左側カメラ６及び右側カメラ７によって撮影された画像を、ＣＰＵ２ｂによって画像処理し、利用者以外を背景として、背景の明度を下げる表示モードに移行する。さらに、強調ボタン１０ａをもう一度押下すると、背景を暗転させる表示モードに移行でき、さらに強調ボタン１０ａをもう一度押下すると、通常の鏡像表示モードに戻る。
【００４８】
背景の明度を下げる表示モードや、背景を暗転させる表示モードにすることで、利用者の鏡像を鮮明に映すことができ、鏡では煩わしい背景の画像を抑え、利用者の鏡像を強調することが出来る。
【００４９】
さらに、図３の（ｄ）で示すように、液晶ディスプレイ２に表示する画像を縦半分に分けて、左画面半分に、以前撮影した画像を表示し、右画面半分に現状を表示する分割表示を行うこともできる。
【００５０】
上記分割表示は、利用者が、プレイバックキー１０ｂを押下することで開始し、プレイバックキー１０ｂを押下している間、記憶した１分前以内の画像を巻き戻し、プレイバックキー１０ｂから手を離すと画像が静止画像として止まり、左画面半分に表示する。
【００５１】
利用者が液晶ディスプレイ２の正面から離れ、着替えた後に戻れば、着替え後の鏡像を右半分に映すことで、着替え前と着替え後との２面の画像を液晶ディスプレイ２で並べて比較することが出来る。
【００５２】
さらに、測距センサ９から一定範囲内（本実施形態では測距センサ９の前方半径１ｍ以内）であれば、等倍表示、すなわち利用者が等身大で液晶ディスプレイ２に表示される。これは、左側カメラ６及び右側カメラ７で撮影された画像を、画像処理することで実現できる。
【００５３】
着替え前と着替え後との２面の画像を液晶ディスプレイ２で並べて比較するときには、測距センサ９の前方半径１ｍ以内に入って比較することで、着替え前の鏡像と着替え後の鏡像の大きさを、等しくすることができ、利用者は服の比較がし易くなる。
【００５４】
また、試着して電子鏡システム１の前で一回転すれば、操作パネル１０のプレイバックキー１０ｂを押している間、例えば記憶した１分前以内の画像を巻き戻し、プレイバックキー１０ｂから手を離すと画像が静止画像として止まり、左画面半分に表示する。例えば、この時後ろ姿であればそれを表示し、再度プレイバックキー１０ｂを押して手を離し、側面画像を液晶モニターの右画面半分に表示する。再度同じ動作を行えば、左画面半分に右画面半分を移動し、次の静止画像を映すことができ、クリアーキー１０ｃを押すと、通常の鏡像表示に戻ることができる。
【００５５】
また、利用者が測距センサ９から３ｍより遠く離れると、５分後に鏡像表示を止め、液晶ディスプレイ２を通常の展示商品の着こなし方の宣伝表示や売り場の案内とする。ただし、本発明はこれに限らず、利用者が測距センサ９から３ｍより遠く離れると、５分後に鏡像表示を止め、液晶ディスプレイ２を節電モードとしても良い。
【００５６】
さらに、液晶ディスプレイ２は、記憶媒体用スロット、例えば、メモリーカードスロット（図示せず）やブルーレイディスクスロット（図示せず）を有する構成としてもよく、操作パネル１０のメッセージ保存キー１０ｄを押下した後、測距センサ９から３ｍ以内に利用者が近付くと、鏡に切り替わり、液晶ディスプレイ２に「メッセージをお願いします。５秒後に自動的に切り替わります。」などと表示し、５秒間のメッセージを記憶部２ｃに保存することができる。メッセージ保存キー１０ｄをもう一度押下すると、Ｓ１５に示す、通常の鏡像表示に戻る。ここで、メッセージは、記憶媒体用スロットに挿入された記憶媒体に残すこともできる。上記のような構成をとることで、結婚式の受付に代表されるように、従来は結婚式の受付において、来訪者は記帳するのみであったものが、電子鏡システム１を設置することで、来訪者は記帳に加えて、映像や音声による祝辞を残すことができる。
【００５７】
尚、本発明は、上記実施形態に限定されるものではない。
【００５８】
上記実施形態では、ＣＰＵ２ｂや記憶部２ｃを、液晶ディスプレイ２に内蔵する構成としたが、本発明はこれに限定されるものではなく、ＣＰＵ２ｂや記憶部２ｃを、液晶ディスプレイ２の外部に設置する構成としてもよい。例えば、ＰＣ（Personal  Computer）を外部に設置する構成としてもよい。
【００５９】
また、撮像装置は、左側カメラ６及び右側カメラ７の合計２つに限定されるものではなく、複数設置する構成としてもよい。例えば、さらに、液晶ディスプレイの上下に、カメラを１つずつ設置する構成としてもよいし、液晶ディスプレイの左右に２つずつカメラを設置する構成としてもよい。
【産業上の利用可能性】
【００６０】
本発明は、利用者の画像を撮影するための撮像装置と、それを表示する表示装置と、を有する画像処理装置に利用することができる。
【符号の説明】
【００６１】
１      電子鏡システム
２      液晶ディスプレイ
２ａ    画像表示部
２ｂ    ＣＰＵ
２ｃ    記憶部
３      スタンド
３ａ    台座
３ｂ    車輪
４      左側上下ガイド
４ａ    タイミングベルト左
５      右側上下ガイド
５ａ    タイミングベルト右
６      左側カメラ
７      右側カメラ
８      上部枠
９      測距センサ
１０    操作パネル
１０ａ  強調ボタン
１０ｂ  プレイバックキー
１０ｃ  クリアーキー
１０ｄ  メッセージ保存キー
１１    左側回転プーリ
１２    右側回転プーリ
１３    駆動軸
１４    ステッピングモータ
【図１】
2012060547.tif 000003
【図２】
2012060547.tif 000004
【図３】
2012060547.tif 000005
【図４】
2012060547.tif 000006
【図５】
2012060547.tif 000007
【図６】
2012060547.tif 000008